(57)【要約】【課題】従来構造と比べて、少ない部品点数，組立工数で構築できるように改良した可逆形電磁接触器のインターロック装置を提供する。【解決手段】可逆形電磁接触器に適用するインターロック装置を、電磁接触器のフレームに掛止するフック５ｅを一体に形成した分割ケース５ａ，５ｂからなるユニットケースと、該ユニットケースを貫通して左右へスライド可能に支持した鎖錠コマ５ｃ（両端のコーナーをＲ状にテーパーカットした略小判形の形状）と、該鎖錠コマを自由状態で中立位置に付勢する復帰ばね（線条ばね）５ｄとの組立体で構成し、左右に並ぶ電磁接触器の間に介装した組立状態ではユニットケースから側方に突き出す鎖錠コマ５ｃの両端部を電磁接触器の可動接触子ホルダ側面に形成した凹溝に遊嵌し、一方の電磁接触器が投入動作した際には、この投入動作に従動してスライドする鎖錠コマを他方の電磁接触器の可動接触子ホルダに形成した凹溝に押し込んで該電磁接触器の投入動作を阻止する。【選択図】        図１
2009064737.tif 000002
【特許請求の範囲】
【請求項１】
左右に配置した電磁接触器の間に介装して両電磁接触器の同時投入動作を機械的に阻止する可逆形電磁接触器のインターロック装置であって、
電磁接触器のフレームに掛止するフックを備えたユニットケースと、該ユニットケースを貫通して左右へスライド可能に支持した鎖錠コマと、該鎖錠コマを自由状態で中立位置に付勢する復帰ばねとの組立体で構成し、左右に並ぶ電磁接触器の間に介装した組立状態ではユニットケースから突き出す鎖錠コマの両端部を電磁接触器の可動接触子ホルダ側面に形成した凹溝に臨ませて浅めに遊嵌し、一方の電磁接触器が投入動作した際には、この投入動作に従動してスライドする鎖錠コマを他方の電磁接触器の可動接触子ホルダに形成した凹溝に押し込んで該電磁接触器の投入動作を阻止するようにしたことを特徴とする可逆形電磁接触器のインターロック装置。
【請求項２】
請求項１に記載のインターロック装置において、鎖錠コマはその両端コーナーをテーパーカットした略小判形の形状であり、かつ復帰ばねを線条ばねとして鎖錠コマの中心を上下方向に貫通させた上で、線条ばねの両端をユニットケース内部のセンター位置に保持したことを特徴とする可逆形電磁接触器のインターロック装置。
【請求項３】
請求項１に記載のインターロック装置において、ユニットケースは前後に二分割してねじ締結した二つ割り構造で、その分割ケースの突き合わせ端部に鎖錠コマの両端が出没する窓穴，および鎖錠コマをスライド可能に案内支持する支持面を形成し、さらにユニットケースの前後端から左右側方に突き出して電磁接触器のフレームに掛止する略Ｌ字状のフックを一体に形成したことを特徴とする可逆形電磁接触器のインターロック装置。
【発明の詳細な説明】
【技術分野】
【０００１】
本発明は、２台の電磁接触器で構築した可逆形電磁接触器に適用するインターロック装置に関する。
【背景技術】
【０００２】
モータの給電回路に２台の電磁接触器を並列接続し、電源の相を入れ替えてモータの回転方向を切換え制御する可逆形電磁接触器では、両方の電磁接触器の同時投入を阻止するインターロック手段として、左右に配置した２台の電磁接触器の間を機械的に連係するインターロック装置が使用されている（例えば、特許文献１，特許文献２参照）。
次に、特許文献１に開示されているインターロック装置を図６，図７に示す。図において、１，２は可逆形電磁接触器を構築する電磁接触器、３は左右に配置した電磁接触器１と２の間に介装して相互連係したインターロック装置、４はインターロック装置３を取付位置に固定するジョイントブロックである。
ここで、インターロック装置３は、分割ケース３ａ，３ｂを左右に突き合わせた二つ割り構造のユニットケースに、背中合わせに重ねて上下可動に配した左右一対の鎖錠コマ３ｃ，３ｄと、該鎖錠コマ３ｃ，３ｄの下端側に形成したテーパー面に対向して左右へ移動可能に案内支持した鎖錠ピン３ｅと、鎖錠ピン３ｅを中立位置（センター位置）に付勢する一対の復帰ばね３ｆの各部品を収容し、分割ケース３ａと３ｂをビス３ｇで締結した組立構造になり、ユニットケースの左右壁面に開口した角穴を通じて鎖錠コマ３ｃ，３ｄのレバー（３ｄ−１は鎖錠コマ３ｄのレバー）が側方に突き出している。また、ユニットケースの左右側面には位置決め突起３ａ−１，３ｂ−１が、また前後端面にはジョインブロック４に掛止する係合爪３ａ−２，３ｂ−２が形成されている。
【０００３】
一方、ジョインブロック４は、その左右壁面に形成した断面楔形の係合リブ４ａを電磁接触器１，２のフレーム側面に形成した係合溝に下方から差し込み、この位置で前後端から上方に起立するスナップフィット４ｂを前記係合爪３ａ−２，３ｂ−２に掛止してインターロック装置３を定位置に掛止固定している。
そして、上記のインターロック装置３を電磁接触器１と２の間に装着した状態では、ユニットケースから左右に突き出した鎖錠コマ３ｃ，３ｄのレバー先端が電磁接触器１，２の可動接触子ホルダ（上下動式）の側面に開口した凹溝（横穴）に嵌合し、電磁接触器の投入動作に連動して上下動する。
上記構成になるインターロック装置３の機能，動作は特許文献１にも詳しく述べられており、電磁接触器１，２のいずれか一方（例えば左側の電磁接触器１）が投入動作すると、その電磁接触器の可動接触子ホルダの動きに連動してインターロック装置３の鎖錠コマ３ｃが下降し、そのテーパー面で押された鎖錠ピン３ｅが初期の中立位置から右側に移動して鎖錠コマ３ｄの下方側に押し込まれる。これにより、電磁接触器２は接点ＯＦＦの位置に拘束されて投入動作ができなくなる。また、電磁接触器１と２が同時に投入動作しようとすると、左右の鎖錠コマ３ｃと３ｄに跨がって中立位置に停止している鎖錠ピン３ｅが双方の鎖錠コマ３ｃ，３ｄの動きを拘束して電磁接触器の同時投入を阻止する。
【特許文献１】実開昭６２−１６５６４６号公報
【特許文献２】特開平１−２４６７３９号公報
【発明の開示】
【発明が解決しようとする課題】
【０００４】
ところで、前記した従来構造のインターロック装置３は、電磁接触器の可動接触子ホルダに連結し、該電磁接触器の投入動作に連動して下降する左右一対の鎖錠コマ３ｃ，３ｄと、該鎖錠コマ３ｃと３ｄに対向した鎖錠ピン３ｅと、２本の復帰ばね３ｆの各部品を組み合わせてインターロック機構を構築し、さらに別部品のジョイントブロック４を用いてインターロック装置のユニットケースを左右の電磁接触器１と２に掛止連結するようにしており、このために組立部品の点数，組立工数が多くなってコストの高い製品となっている。そこで、従来製品よりも低コストで構築できるインターロック装置の開発が要望されている。
本発明は上記の点に鑑みなされたものであり、従来構造と比べて少ない部品点数，組立工数で構築できるように改良した可逆形電磁接触器のインターロック装置を提供することを目的とする。
【課題を解決するための手段】
【０００５】
上記目的を達成するために、本発明によれば、可逆形電磁接触器に適用するインターロック装置を、電磁接触器のフレームに掛止するフックを備えたユニットケースと、該ユニットケースを貫通して左右へスライド可能に支持した鎖錠コマと、該鎖錠コマを自由状態で中立位置に付勢する復帰ばねとの組立体で構成し、左右に並ぶ電磁接触器の間に介装した組立状態ではユニットケースから突き出す鎖錠コマの両端部を電磁接触器の可動接触子ホルダ側面に形成した凹溝に臨ませて浅めに遊嵌し、一方の電磁接触器が投入動作した際には、この投入動作に従動してスライドする鎖錠コマを他方の電磁接触器の可動接触子ホルダに形成した凹溝に押し込んで該電磁接触器の投入動作を阻止させるようにする（請求項１）。
また、前記の鎖錠コマはその両端コーナーをテーパーカットした略小判形の形状であり、かつ復帰ばねを線条ばねとして鎖錠コマの中心を上下方向に貫通させた上で、線条ばねの両端をユニットケース内部のセンター位置に保持させる（請求項２）。
さらに、前記ユニットケースは前後に二分割してねじ締結した二つ割り構造で、その分割ケースの突き合わせ端部に鎖錠コマの両端が出没する窓穴，および鎖錠コマをスライド可能に案内支持する支持面を形成するとともに、さらにユニットケースの前後端から左右側方に突き出して電磁接触器のフレームに掛止する略Ｌ字状のフックを一体に形成した構造になる（請求項３）。
【発明の効果】
【０００６】
上記構成のインターロック装置において、左右いずれか一方の電磁接触器が投入動作してその可動接触子ホルダが下降移動すると、これに連動するインターロック装置の鎖錠コマが中立位置から反対側に突き出して他方の電磁接触器の投入動作を阻止し、従来装置と同様なインターロック機能を果たす。
しかも、本発明の構成では、ユニットケースに１個のスライド式鎖錠コマと１本の線状ばねの僅か二つの部品を装備してインターロック機構を構築し、さらにユニットケース自身に設けたフックを介して左右に並ぶ電磁接触器に掛止固定するようにしたので、別部品のジョイントブロックも不要となる。これにより、従来構造と比べて部品点数，組立工数を半数以下に削減して構築した、低コストのインターロック装置を提供できる。
【発明を実施するための最良の形態】
【０００７】
以下、本発明の実施の形態を図１〜図５に示す実施例に基づいて説明する。なお、図１（ａ），（ｂ）はインターロック装置の分解斜視図，および鎖錠コマの断面図、図２は図１のインターロック装置の組立状態を表す外観図、図３，図４はそれぞれインターロック装置を可逆形電磁接触器に装着する前，装着後の状態を表す図、図５はインターロック装置の動作説明図である。
まず、図１および図２に示す実施例のインターロック装置５は、前後二つ割りの分割ケース５ａ，５ｂを突き合わせてねじ締結したモールド樹脂製のユニットケースと、該ユニットケースを左右に貫通して矢印方向へスライド可能に案内支持した１個の鎖錠コマ５ｃと、該鎖錠コマ５ｃの中心を上下に貫通してその両端をユニットケースに支承した線条ばね製の復帰ばね５ｄとの組立体で構成され、かつユニットケースの分割ケース５ａ，５ｂには前後端から左右に張り出す略Ｌ字状のフック５ｅが一体に形成されている。
ここで、分割ケース５ａ，５ｂの突き合わせ端部には鎖錠コマ５ｃの両端部が側方に突き出す窓穴が開口し、その内側には鎖錠コマ５ｃを左右スライド可能に案内する支持面５ｆ、および鎖錠コマ５ｃに嵌挿した復帰ばね５ｄの上下両端をケース内部のセンター位置に支持するばね支承部５ｇが形成されている。また、分割ケース５ａと５ｂは、その突き合わせ端部に２本の締結ねじ６を螺合して締結する。なお、５ｈはユニットケースの左右壁面に形成した位置決め用突起である。
【０００８】
一方、鎖錠コマ５ｃは、図１（ｂ）で示すように両端コーナーをＲ状にテーパーカットした略小判形であり、その両端コーナー部が前記窓穴を通じてユニットケースから左右に突き出るような長さに設定している。また、鎖錠コマ５ｃの中心部には復帰ばね５ｄのばね線条を通して挟持する連結穴５ｃ−１が形成されている。
そして、このインターロック装置５を可逆形電磁接触器に組み付けるには、図３，図４で示すように左右の電磁接触器１と２の間に介装し、ここで前記の位置決め用突起５ｈを電磁接触器１，２のフレーム側壁に形成した凹状の受座（電磁接触器１の受座１ａのみ示す）に嵌め合わせて位置決めした上で、ユニットケースの前後端から突き出したフック５ｅの先端爪部を電磁接触器１，２のフレーム前後壁面に形成した係合溝１ｂ，２ｂに掛止して定位置に固定する。
次に、前記インターロック装置５の機能，動作を図５（ａ），（ｂ）により説明する。まず、図５（ａ）は電磁接触器１と２の間にインターロック装置５を装着して構築した可逆形電磁接触器の組立状態（電磁接触器１，２はいずれもＯＦＦ）を表し、この状態ではインターロック装置５の鎖錠コマ５ｃが復帰ばね５ｄにより中立位置に保持され、かつユニットケースから左右側方に突き出した鎖錠コマ５ｃの両端部（Ｒ状コーナー部）が、電磁接触器１，２の可動接触子ホルダ１ｃ、２ｃの側面に形成されている付属品の連結用凹溝（横向きの窪み）１ｄ，２ｄに進入して浅めに遊嵌している。
【０００９】
上記の状態からいずれか一方の電磁接触器、例えば、左側の電磁接触器１が投入動作し、その操作用電磁石に連結されている可動接触子ホルダ１ｃが図５（ｂ）の矢印方向に移動すると、凹溝１ｄの上縁がこの凹溝内に突き出している鎖錠コマ５ｃの先端コーナーに突き当たってそのＲ状テーパー面を下に押す。これにより、鎖錠コマ５ｃは復帰ばね５ｄに抗してユニットケースの支持面５ｆ上を右側にスライド移動し、反対側の端部が電磁接触器２の可動接触子ホルダ２ｄに形成した凹溝２ｄの中に押し込まれる（図５（ｂ）参照）。その結果、電磁接触器２は接触子ホルダが拘束され、仮に投入指令を与えても投入動作が阻止される。なお、電磁接触器１をＯＦＦにすると接触子ホルダ１ｃが上昇復帰し、これに従動してインターロック装置５の鎖錠コマ５ｃは復帰ばね５ｄに付勢されて図５（ａ）の中立位置に戻る。
また、電磁接触器１と２を同時に投入しようとすると、中立位置に停止して両端部が接触子ホルダの凹溝１ｄ，２ｄに突き出している鎖錠コマ５ｃがストッパとして働き、電磁接触器１および２の同時投入を阻止する。
上記の動作説明で判るように、図示実施例のインターロック装置５は、１個の鎖錠コマ５ｃと１本の線条ばね（復帰ばね５ｄ）との二つの部品だけで電磁接触器１と２の間を機械的にインターロックすることができ、図６に示した従来構造と比べて部品点数は半数以下で済む。さらに、インターロック装置５を電磁接触器１，２に掛止するフック５ｅがユニットケースと一体に形成されているので、従来構造で必要とする別部品のジョイントブロック４（図６参照）が不要となり、これによりコストを大幅に低減して製品を安価に提供できる。
【図面の簡単な説明】
【００１０】
【図１】本発明の実施例によるインターロック装置の組立構造図で、（ａ）は分解斜視図、（ｂ）は鎖錠コマの断面図
【図２】図１に示したインターロック装置の組立状態を表す外観図
【図３】図２のインターロック装置を可逆形電磁接触器に装着する前の状態を表す斜視図
【図４】図２のインターロック装置を可逆形電磁接触器に装着した組立状態の斜視図
【図５】図４におけるインターロック装置の動作説明図で、（ａ）は初期状態、（ｂ）は左側の電磁接触器が投入動作した際の状態図
【図６】可逆形電磁接触器に適用する従来のインターロックの構造を表す分解斜視図
【図７】図６におけるインターロックの組立状態の外観図
【符号の説明】
【００１１】
１，２  電磁接触器
１ｃ，２ｃ  可動接触子ホルダ
１ｄ，２ｄ  凹溝
５    インターロック装置
５ａ，５ｂ  分割ケース
５ｃ  鎖錠コマ
５ｄ  線条ばね製の復帰ばね
５ｅ  フック
６    締結ねじ
【図１】
2009064737.tif 000003
【図２】
2009064737.tif 000004
【図３】
2009064737.tif 000005
【図４】
2009064737.tif 000006
【図５】
2009064737.tif 000007
【図６】
2009064737.tif 000008
【図７】
2009064737.tif 000009